(57)【要約】【課題】本発明は、簡単にごみを捨てることができ、捨てたごみを簡単に回収することができる使い勝手の良好なごみ容器の蓋およびごみ容器を提供することを課題とする。【解決手段】枠状の蓋基部８と、該蓋基部８に跳ね上げ可能に枢着されている上蓋部９とからなり、該上蓋部９の上面にはゴミ投入口１３が設けられているごみ容器１の蓋４を提供する。また、ごみ容器本体３に、上記のごみ容器１の蓋４を取り付けたごみ容器１を提供する。【選択図】    図１
2006143416.tif 000002
【特許請求の範囲】
【請求項１】
枠状の蓋基部と、該蓋基部に跳ね上げ可能に枢着されている上蓋部とからなり、該上蓋部の上面にはゴミ投入口が設けられていることを特徴とするごみ容器の蓋。
【請求項２】
該上蓋部を奥側に跳ね上げたときに、該上蓋部の上面レベルが該蓋基部の奥側の外周縁レベルよりも手前側に位置する請求項１に記載のごみ容器の蓋。
【請求項３】
該蓋基部の上蓋部を枢着した部分は手前側に傾斜されている請求項１または請求項２に記載のごみ容器の蓋。
【請求項４】
該上蓋部のゴミ投入口の裏側には遮板が開閉可能に取り付けられている請求項１〜請求項３のいずれかに記載のごみ容器の蓋。
【請求項５】
ごみ容器本体に、請求項１〜請求項４のいずれかに記載のごみ容器の蓋を取り付けたことを特徴とするごみ容器
【発明の詳細な説明】
【技術分野】
【０００１】
本発明は、ごみ容器の蓋および該蓋を取り付けたごみ容器に関する。
【背景技術】
【０００２】
一般に、ごみはリサイクルを考慮して分別収集されており、特に施設や店舗、事業所などでは、ごみの種類に応じた専用のごみ容器が使用されている。そして、従来、ごみ容器の蓋としては、ごみの種類に応じた形状の投入口を有するものが提供されている（特許文献１参照）。
【０００３】
【特許文献１】実開平６−８３６０８号公報（第５−１０頁、第１図）
【発明の開示】
【発明が解決しようとする課題】
【０００４】
しかしながら上記従来の構成では、ごみ容器の蓋が一体であるため、小さいごみは蓋の投入口からごみを捨てることができるものの、大きいごみの場合には、蓋をごみ容器から取り外してごみを捨てなければならず、ごみを捨てる作業が面倒であるという問題があった。
また、ごみを回収する場合、捨てられたごみの量が多いときには、ごみ容器から蓋を取り外してごみ袋ごと回収作業を行うのが通常であるが、捨てられたごみの量が少ないときには、ごみ袋の中のごみだけを回収する。このように、ごみだけの回収を行う場合にも、ごみ容器から蓋を取り外す必要があり、ごみを回収する作業が面倒であるという問題があった。
更に、部屋や廊下の隅角部などの壁の近くにごみ容器を置いた場合、ごみ容器から蓋を取り外すときには、蓋が壁に干渉するためごみ容器を壁から離す必要があるという問題があった。
【課題を解決するための手段】
【０００５】
本発明は上記従来の課題を解決するための手段として、枠状の蓋基部８と、該蓋基部８に跳ね上げ可能に枢着されている上蓋部９とからなり、該上蓋部９の上面にはゴミ投入口１３が設けられているごみ容器１の蓋４を提供するものである。
該上蓋部９を奥側に跳ね上げたときに、該上蓋部９の上面レベルＸが該蓋基部８の奥側の外周縁レベルＹよりも手前側に位置することが望ましい。
また、該蓋基部８の上蓋部９を枢着した部分は手前側に傾斜されていることが望ましい。
更に、該上蓋部９のゴミ投入口１３の裏側には遮板１４が開閉可能に取り付けられていることが望ましい。
更に本発明では、ごみ容器本体３に、上記のごみ容器１の蓋４を取り付けたごみ容器１が提供される。
【発明の効果】
【０００６】
本発明のごみ容器１の蓋４およびごみ容器１では、ごみ投入口１３が設けられた上蓋部９が蓋基部８に跳ね上げ可能に枢着されているため、小さいごみは上蓋部９のごみ投入口１３から捨てることができ、かつ、大きいごみは上蓋部９を跳ね上げて蓋基部８の開口部７から捨てることができる。したがって、大きいごみの場合であっても、ごみ容器本体３から蓋４を取り外す手間がなく簡単にごみを捨てることができる。
また、ごみを回収する場合に、捨てられたごみの量が少ないときであっても、ごみ容器本体３から蓋４を取り外すことなく、上蓋部９を跳ね上げて蓋基部８の開口部７から簡単にごみを回収することができる。
更に、該蓋基部８の上蓋部９を枢着した部分が手前側に傾斜されており、該上蓋部９を奥側に跳ね上げたときに、該上蓋部９の上面レベルＸが該蓋基部８の奥側の外周縁レベルＹよりも手前側に位置していれば、部屋や廊下の隅角部などの壁の近くにごみ容器１を置いた場合であっても、上蓋部９を跳ね上げたときに該上蓋部９が壁に干渉することがなく、ごみ容器１を壁から離す必要がない。
【発明を実施するための最良の形態】
【０００７】
以下、本発明を実施例１〜実施例３により詳細に説明する。
【実施例１】
【０００８】
本発明を図１〜図４に示す一実施例によって説明する。
図１および図２に示すように、本実施例のごみ容器１は、上部に開口部２を有する合成樹脂製のごみ容器本体３と、該ごみ容器本体３の上側に取り付けられる合成樹脂製の蓋４とからなる。
該ごみ容器本体３の上縁部外周にはリブ５が周設されており、該ごみ容器本体３の前面および後面の上部には係止片６が差し出されて設けられている。
【０００９】
図２および図３に示すように、ごみ容器１の蓋４は、傾斜開口部７を有する枠状の蓋基部８と、該蓋基部８の傾斜開口部７に跳ね上げ可能に枢着されている上蓋部９とからなる。
該蓋基部８は側面視で略三角形状とされており、該蓋基部８の上蓋部９を枢着した部分である傾斜開口部７は手前側に傾斜されている。また、該蓋基部８の前側および後側の下部には、ごみ容器本体３の係止片６が係合する係止部１０が設けられている。更に、該蓋基部８の傾斜開口部７の後側（奥側）の一辺の中央部には、上蓋部９を枢着するためのヒンジブラケット１１が凹設されている。
該上蓋部９の後側（奥側）の一辺の中央下部には、該蓋基部８のヒンジブラケット１１に枢着されるヒンジ部１２が垂設されており、また、該上蓋部９の上面中央部には略四角形状のごみ投入口１３が設けられている。
【００１０】
そして本実施例では、図４に示すように、該上蓋部９を奥側に跳ね上げたときに、該上蓋部９の上面レベルＸが該蓋基部８の奥側の外周縁レベルＹよりも手前側に位置するように構成されている。
【００１１】
上記のごみ容器１を組み立てる場合には、ごみ容器本体３の内部にごみ袋（図示せず）を装着した後、ごみ容器１の蓋４を該ごみ容器本体３の上に載置して、該蓋４の蓋基部８の外周部下縁を該ごみ容器本体３のリブ５に当接させ、該ごみ容器本体３の係止片６を該蓋基部８の係止部１０に係合させる。
【００１２】
そして、上記のごみ容器１に小さいごみを捨てる場合には、上蓋部９のごみ投入口１３からごみを捨てる。一方、上蓋部９のごみ投入口１３を通り抜けることができないような大きいごみを捨てる場合には、上蓋部９を跳ね上げて、蓋基部８の傾斜開口部７からごみを捨てる。
【００１３】
また、上記のごみ容器１に捨てられたごみを回収する場合、捨てられたごみの量が多いときには、ごみ容器本体３の係止片６と蓋基部８の係止部１０との係合を解除し、ごみ容器１の蓋４をごみ容器本体３から取り外して、該ごみ容器本体３の内部に装着されているごみ袋を取り出す。一方、捨てられたごみの量が少ない場合には、上蓋部９を跳ね上げて蓋基部８の傾斜開口部７からごみ袋の中のごみを回収する。
【００１４】
上記のように、本実施例のごみ容器１の蓋４およびごみ容器１では、ごみ投入口１３が設けられた上蓋部９が蓋基部８に跳ね上げ可能に枢着されているため、小さいごみは上蓋部９のごみ投入口１３から捨てることができ、かつ、大きいごみは上蓋部９を跳ね上げて蓋基部８の傾斜開口部７から捨てることができる。
したがって、上蓋部９のごみ投入口１３を通り抜けることができないような大きいごみの場合であっても、ごみ容器本体３から蓋４を取り外す手間がなく簡単にごみを捨てることができる。
【００１５】
また、ごみを回収する場合に、捨てられたごみの量が少ないときであっても、ごみ容器本体３から蓋４を取り外すことなく、上蓋部９を跳ね上げて蓋基部８の傾斜開口部７から簡単にごみを回収することができる。
【００１６】
更に、該蓋基部８の上蓋部９を枢着した部分である傾斜開口部７が手前側に傾斜されており、該上蓋部９を奥側に跳ね上げたときに、該上蓋部９の上面レベルＸが該蓋基部８の奥側の外周縁レベルＹよりも手前側に位置しているので（図４参照）、部屋や廊下の隅角部などの壁の近くにごみ容器１を置いた場合であっても、上蓋部９を跳ね上げたときに該上蓋部９が壁に干渉することがなく、ごみ容器１を壁から離す必要がない。
【実施例２】
【００１７】
図５〜図７には他の実施例が示される。
図１〜図４に示した実施例１において、ごみ容器１の蓋４の上蓋部９の上面中央部に略四角形状のごみ投入口１３が設けられていたのに対して、図５〜図７に示す本実施例では、ごみ容器１の蓋４の上蓋部９の上面中央部に略四角形状のごみ投入口１３が設けられており、該ごみ投入口１３の裏側には遮板１４が開閉可能に取り付けられている。
【００１８】
図６および図７に示すように、ごみ容器１の蓋４の上蓋部９の裏側において、ごみ投入口１３の後側（奥側）の一辺の左右両側部には、遮板１４を枢着するためのヒンジブラケット１５が設けられており、一方、遮板１４の後側（奥側）の一辺の左右両側部には、該上蓋部９のヒンジブラケット１５にそれぞれ枢着されるヒンジ部１６が設けられている。
本実施例では、該遮板１４のヒンジ部１６と該上蓋部９のヒンジブラケット１５とは、ねじりコイルばね１７を介して枢着されており、該ねじりコイルばね１７によって該遮板１４は閉じる向きにばね付勢されている。
【００１９】
そして、本実施例のごみ容器１の蓋４およびごみ容器１でも、実施例１と同様の作用効果を奏することができる。
その上、本実施例のごみ容器１の蓋４およびごみ容器１では、該ごみ投入口１３の裏側には遮板１４が開閉可能に取り付けられており、該遮板１４が閉じる向きに付勢されているので、ごみを捨てる場合には、該遮板１４を該ねじりコイルばね１７のばね付勢力に抗して押し開いてごみを捨てることができ、ごみを捨てた後は、該遮板１４は該ねじりコイルばね１７のばね付勢力によって元に戻り、ごみ投入口１３は閉じた状態となる。
したがって、ごみを捨てるとき以外は、ごみ投入口１３が該遮板１４によって常に閉じた状態とされているので、ごみ容器１の内部が外部から見えることがなく、ごみが捨てられた状態であってもごみ容器１の外観が非常に良好である。
【実施例３】
【００２０】
図８〜図１０には更に他の実施例が示される。
図５〜図７に示した実施例２において、ごみ容器１の蓋４の上蓋部９のごみ投入口１３の裏側には遮板１４が開閉可能に取り付けられていたのに対して、図８〜図１０に示す本実施例では、ごみ容器１の蓋４の上蓋部９のごみ投入口１３の裏側には遮板１４が開閉可能に取り付けられており、該遮板１４の中央部には、ごみの種類に応じた形状（本実施例では、びんやかんに応じた円形状）のごみ投入口１８が設けられている。
【００２１】
本実施例のごみ容器１の蓋４およびごみ容器１でも、実施例２と同様の作用効果を奏することができる。
その上、本実施例のごみ容器１の蓋４およびごみ容器１では、ごみ容器１の蓋４の上蓋部９の遮板１４の中央部には、びんやかんに応じた円形状のごみ投入口１８が設けられているので、ごみ容器１にびんやかんを捨てる場合には、上蓋部９の遮板１４を押し開くことなく、該遮板１４のごみ投入口１８からごみ（びんやかん）を捨てることができる。
【００２２】
以上、本発明の実施の形態を実施例により説明したが、本発明の範囲はこれらに限定されるものではなく、請求項に記載された範囲内において目的に応じて変更・変形することが可能である。
【産業上の利用可能性】
【００２３】
本発明は、簡単にごみを捨てることができ、捨てたごみを簡単に回収することができる使い勝手の良好なごみ容器の蓋およびごみ容器として、産業上利用することが出来る。
【図面の簡単な説明】
【００２４】
【図１】実施例１のごみ容器の斜視図である。
【図２】実施例１のごみ容器の分解斜視図である。
【図３】実施例１のごみ容器の説明斜視図である。
【図４】実施例１のごみ容器の説明側面図である。
【図５】実施例２のごみ容器の斜視図である。
【図６】実施例２のごみ容器の説明斜視図である。
【図７】実施例２のごみ容器の蓋の説明斜視図である。
【図８】実施例３のごみ容器の斜視図である。
【図９】実施例３のごみ容器の説明斜視図である。
【図１０】実施例３のごみ容器の蓋の説明斜視図である。
【符号の説明】
【００２５】
１  ごみ容器
３  ごみ容器本体
４  蓋
８  蓋基部
９  上蓋部
１３  ごみ投入口
１４  遮板
Ｘ  上面レベル
Ｙ  外周縁レベル
【図１】
2006143416.tif 000003
【図２】
2006143416.tif 000004
【図３】
2006143416.tif 000005
【図４】
2006143416.tif 000006
【図５】
2006143416.tif 000007
【図６】
2006143416.tif 000008
【図７】
2006143416.tif 000009
【図８】
2006143416.tif 000010
【図９】
2006143416.tif 000011
【図１０】
2006143416.tif 000012